(57)【要約】【課題】  切断されて床に巻き貯まって蓄積されていく側縁部には揺れが生じており、壁紙の種類や搬送速度により揺れが大きくなった場合に、原反受けに引っかかって内側へ垂れる場合がある。また、切り屑ガイドを装着する位置が壁紙原反の交換などの糊付け作業をする際に邪魔になる位置であり、作業の効率を損なう場合があるという課題を有している。【解決手段】  回転刃により切断された側縁部を壁紙供給側へ誘導するための左右一対の切り屑ガイドをスリッターのフレームの外側でスリッターのステーより下方に脱着自在に装着することを特徴とし、また、切り屑ガイドは第１垂直面を有し、第１垂直面の上端にスリッターの幅方向の外側から内側に向けて上昇する傾斜面を有し、第１垂直面の先端にスリッターの幅方向に内側から外側に向けて開く第２垂直面を有することを特徴とする。【選択図】図７
2018122422.tif 000002
【特許請求の範囲】
【請求項１】
壁紙原反を装着するための左右一対の原反受けと、ステーにより連結された左右一対のフレームの内側に設けられた左右一対の回転刃により壁紙の左右の側縁部を切断するスリッターを有し、回転刃により切断された側縁部を誘導するための左右一対の切り屑ガイドを、前記スリッターの前記フレームの外側で、前記スリッターの前記ステーより下方に配置させたことを特徴とする壁紙糊付機。
【請求項２】
前記切り屑ガイドは、前記スリッターの前記フレームに脱着自在に装着するための係止部を有することを特徴とする前記請求項１の壁紙糊付機。
【請求項３】
前記切り屑ガイドは、前記スリッターに装着された際に前記スリッターの前記フレームに平行する第１垂直面を有し、前記第１垂直面の上端に前記スリッターの幅方向の外側から内側に向けて上昇する傾斜面を有し、前記第１垂直面の先端に前記スリッターの幅方向に内側から外側に向けて開く第２垂直面を有することを特徴とする前記請求項２の壁紙糊付機。
【請求項４】
前記切り屑ガイドは、前記スリッターに装着された際に前記スリッターの幅方向の内側から外側に向けて開く垂直面を有し、前記垂直面の上端にスリッターの幅方向の外側から内側に向けて上昇する傾斜面を有することを特徴とする前記請求項２の壁紙糊付機。
【請求項５】
前記切り屑ガイドは、前記スリッターに装着された際に前記スリッターから遠ざかる方向に幅が漸拡大する垂直面を有し、前記垂直面の上端に前記スリッターの幅方向の外側から内側に向けて上昇する傾斜面を有することを特徴とする前記請求項２の壁紙糊付機。
【発明の詳細な説明】
【技術分野】
【０００１】
本発明は、部屋の天井や壁面に貼る壁紙に、所定の厚みで、所定の長さの壁紙に糊を塗布する為の壁紙糊付機である。更に詳しくは、回転刃により切断された壁紙の側縁部が原反受けに引っかかって内側へ垂れないように原反受けの外側へ誘導するための切り屑ガイドに関する。
【背景技術】
【０００２】
図１０に従来技術の壁紙糊付機（１１０）を示す。脚部（１１２）の上に壁紙糊付機本体部（１１１）が載置され、壁紙糊付機本体部（１１１）の壁紙供給側には壁紙の側縁部Ｂを切断する為のスリッター（１１３）が装着され、壁紙糊付機本体部（１１１）の側面には壁紙糊付機（１１０）を制御するための制御装置（１１４）が装着されている。制御装置（１１４）にはモーター（図示せず）や表示操作部（図示せず）や制御基板（図示せず）などが設けられている。
【０００３】
また、脚部（１１２）の壁紙供給側には、壁紙原反Ｃをセットする原反受け（１１５）が左右一対に設けられており、壁紙原反Ｃに原反芯棒（１１６）が通されて左右端面を左右一対のサイド板（１１７）により横方向にずれないように保持されて、原反芯棒（１１６）の左右一対の原反芯棒先端部（１３５）が原反受け（１１５）に引っかけられることにより壁紙原反Ｃは壁紙糊付機（１１０）にセットされる。
【０００４】
図１０（a）に従来技術の壁紙糊付機（１１０）に装着されるスリッター（１１３）を示す。上刃（１１８）の中心に上刃駆動軸（１２０）が通され、下刃（１１９）の中心に下刃駆動軸（１２１）が通されてフレーム（１２２）に軸支されている。
左右のフレーム（１２２）は背面ステー（１２４）と入り口ステー（１２５）により連結され、背面ステー（１２４）と入り口ステー（１２５）により形成された幅方向に長い隙間が壁紙Ａが壁紙糊付機（１１０）に搬送される入り口である。
また、入り口ステー（１２５）には、左右一対の、壁紙供給側へ湾曲した形状の切り屑ガイド（１２６）が装着される。
【０００５】
また、図１０（b）に示すものは、上刃（１３６）と下刃（１３７）を通した上刃駆動軸（１２７）と下刃駆動軸（１２８）を支持して覆う下刃駆受けケース（１２９）に、壁紙供給側へ湾曲した形状の湾曲内壁（１３０）を設けることにより図１０（a）に示す切り屑ガイド（１２６）と同様の働きをさせ、更に、左右一対の、壁紙供給側へ飛び出したシュート形状の切り屑ガイド（１３３）が背面ステー（１３２）に装着されるものである。
また、左右一対のフレーム（１３８）には壁紙糊付機（１１０）を運搬する際に原反芯棒（１１６）を収納して保持する為の原反芯棒受け（１３４）が設けられている。
【０００６】
従来よりスリッター（１１３）は色々な改良が施されたものが具現化されているが、概ね、スリッター（１１３）は、背面ステー（１３２）と入り口ステー（１３１）に左右一対のフレーム（１２２）を連結したその内側に、上下一対で左右一対の上刃（１３６）と下刃（１３７）を、上刃駆動軸（１２７）と下刃駆動軸（１２８）に通した構造であり、本体部（１１１）に装着した際には、複数の歯車（図示せず）と制御装置（１１４）内のモーター（図示せず）により、左右一対の上刃（１３６）と下刃（１３７）が回転駆動されることにより、背面ステー（１３２）と入り口ステー（１３１）との間から搬送された壁紙Ａの側縁部Ｂを切断するためのユニットである。
【先行技術文献】
【特許文献】
【０００７】
【特許文献１】特開２０００−２８８９７７
【０００８】
【特許文献１】特許第５５２２６０２号
【発明の開示】
【発明が解決しようとする課題】
【０００９】
図１１（a）に示したものは特開２０００−２８８９７７のスリッターであり、図１１（b）に示したものは特許第５５２２６０２号のスリッターである。
図１２を用いて図１１（b）に示したスリッターを装着した場合について従来技術の課題を説明する。湾曲内壁（１３０）により壁紙供給側へ誘導された側縁部Ｂは、切り屑ガイド（１３３）の下端から空中に解放されて床まで垂れ落ちて先端が床に着地して巻き貯まって蓄積されていくので、切り屑ガイド（１３３）の下端を支点として略円錐振り子のように揺れる。揺れの程度は、腰の強い壁紙や腰の弱い壁紙など壁紙の種類や、搬送される壁紙の速度（糊付け実行速度）により異なり、揺れの振幅が大きい場合や小さい場合や、また、揺れの周期が速い場合や遅い場合が生じる。
【００１０】
この揺れのため、側縁部Ｂが原反受け（１１５）に引っかかって内側へ垂れる場合がある。内側へ垂れた側縁部Ｂが壁紙供給側の壁紙Ａに接触すると再び壁紙糊付機（１１０）に搬送され、また、壁紙原反Ｃに接触すると原反芯棒（１１６）に巻き付いてしまうという課題を有している。
また、切り屑ガイド（１３３）を装着する位置が作業者が壁紙原反Ａの交換などの糊付け作業をする際に邪魔になる位置であり、作業の効率を損なう場合があるという課題を有している。
【００１１】
しかし、作業の効率を損なわない位置に装着して、側縁部Ｂを原反受け（１１５）の外側へに誘導できる切り屑ガイド（１３３）は具現化されていない。
【課題を解決するための手段】
【００１２】
壁紙原反を装着するための左右一対の原反受けと、ステーにより連結された左右一対のフレームの内側に設けられた左右一対の回転刃により壁紙の左右の側縁部を切断するスリッターを有し、回転刃により切断された側縁部を誘導するための左右一対の切り屑ガイドを、スリッターのフレームの外側で、スリッターのステーより下方に配置させたことを特徴とする。
【００１３】
切り屑ガイドは、スリッターのフレームに脱着自在に装着するための係止部を有することを特徴とする。
【００１４】
切り屑ガイドは、スリッターに装着された際にスリッターのフレームに平行する第１垂直面を有し、第１垂直面の上端にスリッターの幅方向の外側から内側に向けて上昇する傾斜面を有し、第１垂直面の先端にスリッターの幅方向に内側から外側に向けて開く第２垂直面を有することを特徴とする。
【００１５】
切り屑ガイドは、スリッターに装着された際にスリッターの幅方向の内側から外側に向けて開く垂直面を有し、垂直面の上端にスリッターの幅方向の外側から内側に向けて上昇する傾斜面を有することを特徴とする。
【００１６】
切り屑ガイドは、スリッターに装着された際にスリッターから遠ざかる方向に幅が漸拡大する垂直面を有し、垂直面の上端にスリッターの幅方向の外側から内側に向けて上昇する傾斜面を有することを特徴とする。
【発明の効果】
【００１７】
壁紙原反を装着するための左右一対の原反受けと、ステーにより連結された左右一対のフレームの内側に設けられた左右一対の回転刃により壁紙の左右の側縁部を切断するスリッターを有し、回転刃により切断された側縁部を誘導するための左右一対の切り屑ガイドを、スリッターのフレームの外側で、スリッターのステーより下方に配置させたことを特徴とするので、装着された切り屑ガイドが邪魔になり作業の効率を損ねることがなく側縁部を壁紙原反受けの外側へ誘導することができる。
【００１８】
切り屑ガイドは、スリッターのフレームに脱着自在に装着するための係止部を有することを特徴とするので、作業者が片手で装着できるので簡単で便利である。
【００１９】
切り屑ガイドは、スリッターに装着された際にスリッターのフレームに平行する第１垂直面を有し、第１垂直面の上端にスリッターの幅方向の外側から内側に向けて上昇する傾斜面を有し、第１垂直面の先端にスリッターの幅方向に内側から外側に向けて開く第２垂直面を有することを特徴とするので、
第１垂直面により、側縁部の内外方向の揺れを抑制して振幅を小さくし、傾斜面により腰の弱い壁紙の側縁部がスリッターのフレームの内側に垂れ下がらないように第１垂直面に誘導し、第２垂直面により側縁部の前後方向の揺れが大きい場合でも切り屑ガイドから外れないようにすることにより、側縁部を壁紙原反受けの外側へ誘導することができる。
【００２０】
切り屑ガイドは、スリッターに装着された際にスリッターの幅方向の内側から外側に向けて開く垂直面を有し、垂直面の上端にスリッターの幅方向の外側から内側に向けて上昇する傾斜面を有することを特徴とするので、
垂直面により側縁部の内外方向の揺れを抑制して振幅を小さくして側縁部の前後方向の揺れが大きい場合でも切り屑ガイドから外れないようにし、傾斜面により腰の弱い壁紙の側縁部がスリッターのフレームの内側に垂れ下がらないように第１垂直面に誘導することにより、側縁部を壁紙原反受けの外側へ誘導することができる。
【００２１】
切り屑ガイドは、スリッターに装着された際にスリッターから遠ざかる方向に幅が漸拡大する垂直面を有し、垂直面の上端にスリッターの幅方向の外側から内側に向けて上昇する傾斜面を有することを特徴とするので、
垂直面により側縁部の内外方向の揺れを抑制して振幅を小さくして側縁部の前後方向の揺れが大きい場合でも切り屑ガイドから外れないようにし、傾斜面により腰の弱い壁紙の側縁部がスリッターのフレームの内側に垂れ下がらないように第１垂直面に誘導することにより側縁部を壁紙原反受けの外側へ誘導することができる。
【図面の簡単な説明】
【００２２】
【図１】図１は、本発明の壁紙糊付機の全体構成を説明するための図である。
【図２】図２は、本発明の切り屑ガイドとスリッターを説明するための図である。
【図３】図３は、本発明の切り屑ガイドの形状を説明するための図であり、図３（a）は斜視図であり、図３（b）は正面図であり、図３（c）は側面図であり、図３（d）は底面図である。
【図４】図４は、本発明の切り屑ガイドをスリッターに脱着する方法の詳細を説明するための図である。
【図５】図５は、本発明の切り屑ガイドを装着した時の、壁紙糊付機の各部と切り屑ガイドとの位置関係を説明するための図であり、壁紙供給側から見た図である。
【図６】図６は、本発明の切り屑ガイドを装着した時の、壁紙糊付機の各部と切り屑ガイドとの位置関係を説明するための図であり、側面から見た図である。
【図７】図７は、本発明の切り屑ガイドの効果を説明するための図であり、壁紙供給側の斜めから見た図である。
【図８】図８は、別の形状の切り屑ガイドの形状を説明するための図であり、図８（a）は斜視図であり、図８（b）は正面図であり、図８（c）は側面図であり、図８（d）は底面図である。
【図９】図９は、別の形状の切り屑ガイドの形状を説明するための図であり、図９（a）は斜視図であり、図９（b）は正面図であり、図９（c）は側面図であり、図９（d）は底面図である。
【図１０】図１０は、従来技術の壁紙糊付機の全体構成を説明するための図である。
【図１１】図１１は、従来技術の切り屑ガイドとスリッターの装着を説明するための図である。
【図１２】図１２は、従来技術の課題を説明するための図であり、壁紙供給側の斜めから見た図である。
【発明を実施するための最良の形態】
【００２３】
図１に本発明の壁紙糊付機（１０）を示す。脚部（１２）の上に壁紙糊付機本体部（１１）が載置され、壁紙糊付機本体部（１１）の壁紙供給側には壁紙Ａの側縁部Ｂを切断する為のスリッター（１３）が装着され、壁紙糊付機本体部（１１）の側面には壁紙糊付機（１０）を制御するための制御装置（１４）が装着されている。制御装置（１４）にはモーター（図示せず）や表示操作部（図示せず）や制御基板（図示せず）などが設けられている。
【００２４】
また、脚部（１２）の壁紙供給側には、壁紙原反Ｃをセットする原反受け（１５）が左右一対に設けられており、壁紙原反Ｃに原反芯棒（１６）が通されて左右端面を左右一対のサイド板（１７）により横方向にずれないように保持されて、原反芯棒（１６）の左右一対の原反芯棒先端部（３５）が原反受け（１５）に引っかけられることにより壁紙原反Ｃは壁紙糊付機（１０）にセットされる。
【００２５】
図２に示すものは、上刃（３６）と下刃（３７）を通した上刃駆動軸（２７）と下刃駆動軸（２８）を支持して覆う下刃駆受けケース（２９）に、壁紙供給側へ湾曲した形状の湾曲内壁（３０）を設けることにより、側縁部Ｂを壁紙供給側へ誘導するとともに、本発明の切り屑ガイド（１）を装着することにより、側縁部Ｂが左右一対のフレーム（２２）の内側に垂れ落ちることを防止するものである。
また、左右一対のフレーム（２２）には壁紙糊付機（１０）を運搬する際に原反芯棒（１６）を収納して保持する為の原反芯棒受け（３４）が設けられている。
【００２６】
本発明のスリッター（１３）は、背面ステー（３２）と入り口ステー（３１）に左右一対のフレーム（２２）を連結したその内側に、上下一対で左右一対の上刃（３６）と下刃（３７）を、上刃駆動軸（２７）と下刃駆動軸（２８）に通した構造であり、本体部（１１）に装着した際には、複数の歯車（図示せず）と制御装置（１４）内のモーター（図示せず）により、左右一対の上刃（３６）と下刃（３７）が回転駆動されることにより、背面ステー（３２）と入り口ステー（３１）との間から搬送された壁紙Ａの側縁部Ｂを切断するためのユニットである。
【００２７】
本発明の切り屑ガイド（１）を図３に示す。切り屑ガイド（１）はスリッター（１３）に装着するための係止部（１a）と、装着された際に水平に保持するための保持部（１b）と、側縁部Ｂに接触して誘導する複数の面で構成されており、側縁部Ｂに接触して誘導する面として、スリッター（１３）のフレーム（２２）に平行する第１垂直面（１c）と、第１垂直面（１c）の上端に、スリッター（１３）の幅方向の外側から内側に向けて上昇する傾斜面（１d）と、第１垂直面（１c）の先端に、スリッター（１３）の幅方向の内側から外側に向けて開く第２垂直面（１e）を設けている。
また、本発明ではステンレスの板材を曲げて製造しているので、第１垂直面（１c）と傾斜面（１d）の境界及び、第１垂直面（１c）と第２垂直面（１e）の境界には、曲げＲ２が設けられている。
なお、図３は壁紙供給側から見て右側の切り屑ガイド（１）であり、左側用としての勝手反対の形状のものと左右一対で設けられている。
【００２８】
本発明の切り屑ガイド（１）を壁紙糊付機（１０）に装着する方法を図４を用いて説明する。壁紙糊付機（１０）には従来より、スリッター（１３）のフレーム（２２）には原反芯棒受け（３４）が設けられており、原反芯棒受け（３４）は壁紙糊付機（１０）を運搬する際に、原反芯棒（１６）の原反芯棒先端部（３５）を嵌め込むことにより、原反芯棒（１６）を入り口ステー（３１）の下方に収納するためのものであり、壁紙原反Ｃに原反芯棒（１６）を通した後の糊付け作業時には使用しないものであったが、本発明の壁紙糊付機（１０）では切り屑ガイド（１）を装着するために使用する。
切り屑ガイド（１）の装着方法は、原反芯棒受け（３４）は弾力のある材質で作られており、内径は係止部（１a）の外径よりも少し狭い程度であるので、作業者が片手で押し込んで嵌まり込ませることにより脱着自在に装着できる。
また、保持力は小さいので作業者がうっかり自分の手をぶつけた場合には、切り屑ガイド（１）が原反芯棒受け（３４）から外れるので作業者が怪我をすることはない。
【００２９】
本発明の切り屑ガイド（１）に設けられた係止部（１a）をスリッター（１３）のフレーム（２２）の原反芯棒受け（３４）に嵌め込むと、切り屑ガイド（１）に設けられている垂直な保持部（１b）が原反芯棒受け（３４）の側面の垂直面に当接することにより、切り屑ガイド（１）は水平に保持される。
また、本発明の切り屑ガイド（１）の係止部（１a）の形状は、原反芯棒（１６）の原反芯棒先端部（３５）と同じ形状とし、かつ従来技術の原反芯棒（１１６）の原反芯棒先端部（１３５）とも同じ形状としているので、本発明の切り屑ガイド（１）は既に販売して作業者が使用している従来技術の壁紙糊付機（１１０）にも脱着自在に装着できるものである。
【００３０】
続いて、本発明の切り屑ガイド（１）を壁紙糊付機（１０）に装着した時の各部の位置関係を説明する。図５は壁紙供給側から見た図である。切り屑ガイド（１）の係止部（１a）がスリッター（１３）のフレーム（２２）の原反芯棒受け（３４）に嵌め込まれた時、切り屑ガイド（１）はスリッター（１３）のフレーム（２２）よりもやや外側に装着され、
切り屑ガイド（１）の第１垂直面（１c）は、脚部（１２）に設けられている原反受け（１５）よりもやや外側に位置し、かつ、原反芯棒（１６）の原反芯棒先端部（３５）よりも
外側に位置し、切り屑ガイド（１）の第２垂直面（１e）は更に外側へと開いている。
このように切り屑ガイド（１）を装着する位置は、スリッター（１３）のフレーム（２２）と脚部（１２）と原反受け（１５）が縦方向に並ぶ線とほぼ同じであり、極端に内側でも外側でもないので、壁紙原反Ｃを交換するなどの糊付け作業で邪魔にならない位置であるので作業の効率を損なうことはなく、かつ、側縁部が原反受け（１５）に引っかかって内側に垂れ下がることなく側縁部Ｂを原反受け（１５）の外側へ誘導できる位置である。
図５の２点鎖線は壁紙Ａの側縁部Ｂを誘導する目標経路Ｄである。
【００３１】
図６は壁紙供給側から見て右側の側面図である。切り屑ガイド（１）の係止部（１a）がスリッター（１３）のフレーム（２２）の原反芯棒受け（３４）に嵌め込まれた時、切り屑ガイド（１）はスリッター（１３）の入り口ステー（３１）よりもやや下側に装着され、
切り屑ガイド（１）の第１垂直面（１c）は、スリッター（１３）の天面である背面ステー（３２）の天面（側縁部Ｂが空中に解放される位置）から原反受け（１５）の天面に至るまでの距離の中間よりもやや上方に位置している。図６で示す装着位置は作業の邪魔にならない位置である。
図６の２点鎖線は壁紙Ａの側縁部Ｂを誘導する目標経路Ｄである。
【００３２】
続いて、切り屑ガイド（１）の作用について図７を用いて説明する。上刃（３６）と下刃（３７）により切断された側縁部Ｂはスリッター（１３）の下刃軸受けケース（２９）に設けられている湾曲内壁（３０）によって壁紙供給側へ誘導されてスリッター（１３）の背面ステー（３２）の天面から空中に解放され床に巻き貯まっていくので、仮に、切り屑ガイド（１）が装着されていない場合、側縁部Ｂは背面ステー（３２）の天面を支点として略円錐振り子のように揺れるのであるが、切り屑ガイド（１）が装着されている場合には、
側縁部Ｂは第１垂直面（１c）と傾斜面（１d）の境界の曲げの部分に接触しながら垂れ下がることにより、内外方向への揺れが抑制されて前後方向の揺れのみとなる。
この時の揺れの振幅は第１垂直面（１c）から床までの距離にほぼ等しくなっており切り屑ガイド（１）が装着されていない場合に較べる小さい振幅となる。
また、第１垂直面（１c）は上下方向に幅を有しているので、側縁部Ｂが第１垂直面（１c）と傾斜面（１d）の境界を通過した後に内外方向の揺れが強まった場合でも、側縁部Ｂは第１垂直面（１c）に当たって内側への揺れが抑制される。
【００３３】
また、腰の弱い壁紙Ａの側縁部Ｂが背面ステー（３２）の天面から切り屑ガイド（１）までの間で垂れ下がろうとした場合には、傾斜面（１d）に接触して受け止められて外側へ滑って第１垂直面（１c）へ誘導される。
【００３４】
また、壁紙Ａの腰の強さの相違や搬送速度の相違によって側縁部Ｂの揺れの大きくなった場合には、第２垂直面（１e）に当たって前後方向の揺れが抑制されて、側縁部Ｂは第２垂直面（１e）からスリッター（１３）のフレーム（２２）までの範囲の揺れでおさまり、側縁部Ｂが切り屑ガイド（１）から外れることなく誘導される。
【００３５】
以上で説明したように、本発明の切り屑ガイド（１）は、係止部（１a）と第１垂直面（１c）と第２垂直面（１e）と傾斜面（１d）が設けられた切り屑ガイド（１）を、スリッター（１３）のフレーム（２２）よりやや外側で入り口ステー（３１）の下方の位置に装着することによって、側縁部Ｂを原反受け（１５）よりも外側へ確実に誘導する切り屑ガイド（１）である。
更に詳しくは、第１垂直面（１c）により内外方向の揺れを抑制すると同時に振幅を小さくし、傾斜面（１d）により腰の弱い壁紙Ａの側縁部Ｂがスリッター（１３）のフレーム（２２）の内側へ垂れ下がらないように第１垂直面（１c）へ誘導し、第２垂直面（１e）により前後方向の揺れが大きくなった場合でも切り屑ガイド（１）から外れないようにすることによって、側縁部Ｂを原反受け（１５）よりも外側へ誘導する切り屑ガイド（１）である。
【００３６】
なお、仮に、切り屑ガイド（１）を装着する位置が図５に示す位置よりも高い位置である場合には、側縁部Ｂは切り屑ガイド（１）と床までの間での揺れの振幅は大きくなり原反受け（１５）に引っかかる可能性がある。
また、低い位置である場合には、腰の弱い壁紙Ａの側縁部Ｂが、背面ステー（３２）の天面から切り屑ガイド（１）までの間で垂れ下がる可能性がある。
【００３７】
図８に切り屑ガイド（１）とは異なる形状の切り屑ガイド（２）を示す。係止部（２a）と保持部（２b）によりスリッター（１３）のフレーム（２２）に装着され、側縁部Ｂを誘導する面としてスリッター（１３）の幅方向の内側から外側に向けて開く垂直面（２c）が設けられており、また、垂直面（２c）の上端に幅方向の外側から内側に向けて上昇する傾斜面（２d）を設けられており、垂直面（２c）によって側縁部Ｂの内外方向の揺れが抑制されて前後方向の揺れとなり、また、前後方向の揺れが垂直面（２c）の先端からスリッター（１３）のフレーム（２２）までの範囲に収められるので側縁部Ｂが切り屑ガイド（２）から外れることはない。
また、傾斜面（２d）により腰の弱い壁紙Ａの側縁部Ｂが背面ステー（３２）の天面から切り屑ガイド（２）までの間で垂れ下がろうとした場合には外側へ滑るように誘導される。
図８は壁紙供給側から見て右側の切り屑ガイド（２）であり、左側用としての勝手反対の形状のものと左右一対で設けられている。
【００３８】
図９に切り屑ガイド（１）とは異なる形状の切り屑ガイド（３）を示す。係止部（３a）と保持部（３b）によりスリッター（１３）のフレーム（２２）に装着され、側縁部Ｂを誘導する面として、スリッター（１３）から遠ざかる方向に幅が漸拡大する垂直面（３c）が設けられており、垂直面（３c）の上端にスリッター（１３）の幅方向の外側から内側に向けて上昇する傾斜面（３d）が設けられており、垂直面（３c）と傾斜面（３d）の境界は切り屑ガイド（３）の先端にいくにつれて上昇する線となっている。
垂直面（３c）によって側縁部Ｂの内外方向の揺れが抑制されて前後方向の揺れとなり、また、前後方向の揺れが垂直面（３c）の先端からスリッター（１３）のフレーム（２２）までの範囲に収められる。
また、傾斜面（３d）により腰の弱い壁紙Ａの側縁部Ｂが背面ステー（３２）の天面から切り屑ガイド（３）までの間で垂れ下がろうとした場合には外側へ滑るように誘導される。
図９は壁紙供給側から見て右側の切り屑ガイド（３）であり、左側用としての勝手反対の形状のものと左右一対で設けている。
【００３９】
本発明の切り屑ガイド（１）の係止部（１a）と切り屑ガイド（２）の係止部（２a）と
切り屑ガイド（３）の係止部（３a）は、従来技術の原反芯棒（１１６）の原反芯棒先端部（１３５）と本発明の原反芯棒（１６）の原反芯棒先端部（３５）とは同形状としているので、本発明の切り屑ガイド（１）と切り屑ガイド（２）と切り屑ガイド（３）は従来技術の壁紙糊付機（１１０）の原反芯棒受け（１３４）にも、本発明の原反芯棒受け（３４）にも脱着自在に装着でき、また、作業者の作業方法や好みによって使い分けできるものである。
【符号の説明】
【００４０】
１      切り屑ガイド
１a     係止部
１b     保持部
１c     第１垂直面
１d     傾斜面
１e     第２垂直面
２      切り屑ガイド
２a     係止部
２b     保持部
２c     垂直面
２d     傾斜面
３      切り屑ガイド
３a     係止部
３b     保持部
３c     垂直面
３d     傾斜面
１０    壁紙糊付機  
１１    本体部  
１２    脚部
１３    スリッター
１４    制御装置
１５    原反受け
１６    原反芯棒
１７    サイド板
２２    スリッターフレーム
２３    スリッターカバー
２７    上刃駆動軸
２８    下刃駆動軸
２９    下刃軸受けケース
３０     湾曲内壁
３１     入り口ステー
３２     背面ステー
３４     原反芯棒受け
３５     原反芯棒先端部
３６     上刃
３７     下刃
１１０  壁紙糊付機  
１１１  本体部  
１１２  脚部
１１３  スリッター
１１４  制御装置
１１５  原反受け
１１６  原反芯棒
１１７  サイド板
１１８  上刃
１１９  下刃
１２０  上刃駆動軸
１２１  下刃駆動軸
１２２  フレーム
１２３  カバー
１２４  背面ステー
１２５  入り口ステー
１２６  切り屑ガイド
１２７  上刃駆動軸
１２８  下刃駆動軸
１２９  下刃軸受けケース
１３０  湾曲内壁
１３１  入り口ステー
１３２  背面ステー
１３３  切り屑ガイド
１３４  原反芯棒受け
１３５  原反芯棒先端部
１３６  上刃
１３７  下刃
１３８  スリッターフレーム
１３９  スリッターカバー
Ａ      壁紙
Ｂ      側縁部
Ｃ      壁紙原反
Ｄ      目標経路
【図１】
2018122422.tif 000003
【図２】
2018122422.tif 000004
【図３】
2018122422.tif 000005
【図４】
2018122422.tif 000006
【図５】
2018122422.tif 000007
【図６】
2018122422.tif 000008
【図７】
2018122422.tif 000009
【図８】
2018122422.tif 000010
【図９】
2018122422.tif 000011
【図１０】
2018122422.tif 000012
【図１１】
2018122422.tif 000013
【図１２】
2018122422.tif 000014